(57)【要約】利用者側に設けられた利用者側端末と、サーバとがネットワークを介して接続されてなる商品又は役務情報提供支援システムであって、前記利用者側端末は、光ディスク記録媒体提供者から提供された光ディスク記録媒体を使用可能であり、前記サーバに、識別子を送信する手段と光ディスク記録媒体に格納された商品又は役務に関する情報の請求情報を前記サーバに送信する手段とを有し、前記サーバは、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする。
2002089032.tif 000002
【特許請求の範囲】
【請求項１】
利用者側に設けられた利用者側端末と、サーバとがネットワークを介して接続されてなる商品又は役務情報提供支援システムであって、
前記利用者側端末は、光ディスク記録媒体提供者から提供された光ディスク記録媒体を使用可能であり、前記サーバに、識別子を送信する手段と光ディスク記録媒体に格納された商品又は役務に関する情報の請求情報を前記サーバに送信する手段とを有し、
前記サーバは、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援システム。
【請求項２】
前記サーバが、前記利用者側端末から送信された情報を格納し利用者に関するデータベースを構築する手段を有する、請求項１に記載の商品又は役務情報提供支援システム。
【請求項３】
前記識別子が、前記光ディスク記録媒体本体に付与されているものである、請求項１又は２に記載の商品又は役務情報提供支援システム。
【請求項４】
前記識別子が、前記光ディスク記録媒体本体を収納する容器に付与されているものである、請求項１又は２に記載の商品又は役務情報提供支援システム。
【請求項５】
前記光ディスク記録媒体が信号記録・消去部を有しており、該信号記録・消去部が前記識別子を格納しており、前記光ディスク記録媒体が前記識別子を前記サーバに送信するプログラムを格納している、請求項１〜４のいずれか１項に記載の商品又は役務情報提供支援システム。
【請求項６】
前記光ディスク記録媒体に、前記商品又は役務提供者のホームページにアクセスできるデータが記録されている、請求項１〜５のいずれか１項に記載の商品又は役務情報提供支援システム。
【請求項７】
前記識別子が、光ディスク記録媒体提供者毎に付与される、請求項１〜６のいずれか１項に記載の商品又は役務情報提供支援システム。
【請求項８】
前記識別子が、予め定められたアルゴリズムに従って生成されるものである、請求項７に記載の商品又は役務情報提供支援システム。
【請求項９】
前記サーバが、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有する、請求項１〜８のいずれか１項に記載の商品又は役務情報提供支援システム。
【請求項１０】
利用者側に設けられた利用者側端末とネットワークを介して接続され、
前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援サーバ。
【請求項１１】
前記サーバが、前記利用者側端末から送信された情報を格納し利用者に関するデータベースを構築する手段を有する、請求項１０に記載の商品又は役務情報提供支援サーバ。
【請求項１２】
前記識別子が、光ディスク記録媒体提供者毎に付与される、請求項１０又は１１に記載の商品又は役務情報提供支援サーバ。
【請求項１３】
前記識別子が、予め定められたアルゴリズムに従って生成されるものである、請求項１２に記載の商品又は役務情報提供支援サーバ。
【請求項１４】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有する、請求項１０〜１３のいずれか１項に記載の商品又は役務情報提供支援サーバ。
【請求項１５】
ネットワークを介して、利用者側に設けられた利用者側端末と、データベースを有するサーバとの間で行われる商品又は役務情報提供支援方法であって、
識別子と光ディスク記録媒体提供者とを関連づける光ディスク記録媒体提供者情報をサーバが有するデータベースに格納するステップと、
前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法。
【請求項１６】
前記サーバが、前記利用者側端末から送信された情報を格納し利用者に関するデータベースを構築するステップを有する、請求項１５に記載の商品又は役務情報提供支援方法。
【請求項１７】
前記識別子が、光ディスク記録媒体提供者毎に付与される、請求項１５又は１６に記載の商品又は役務情報提供支援方法。
【請求項１８】
前記識別子が、予め定められたアルゴリズムに従って生成されるものである、請求項１７に記載の商品又は役務情報提供支援方法。
【請求項１９】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する、請求項１５〜１８のいずれか１項に記載の商品又は役務情報提供支援方法。
【請求項２０】
ネットワークを介して、利用者側に設けられた利用者側端末と、データベースを有するサーバとの間で行われる商品又は役務情報提供支援方法であって、
識別子と光ディスク記録媒体提供者とを関連づける光ディスク記録媒体提供者情報をサーバが有するデータベースに格納するステップと、
前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法をコンピュータに実行させるプログラム。
【請求項２１】
前記サーバが、前記利用者側端末から送信された情報を格納し利用者に関するデータベースを構築するステップを有する、請求項２０に記載の商品又は役務情報提供支援方法をコンピュータに実行させるプログラム。
【請求項２２】
前記識別子が、光ディスク記録媒体提供者毎に付与される、請求項２０又は２１に記載の商品又は役務情報提供支援方法をコンピュータに実行させるプログラム。
【請求項２３】
前記識別子が、予め定められたアルゴリズムに従って生成されるものである、請求項２１に記載の商品又は役務情報提供支援方法をコンピュータに実行させるプログラム。
【請求項２４】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する、請求項２０〜２３のいずれか１項に記載の商品又は役務情報提供支援方法をコンピュータに実行させるプログラム。
【発明の詳細な説明】
技術分野
本発明は、商品又は役務情報提供支援システム、商品又は役務情報支援サーバ、商品又は役務情報支援方法及び商品又は役務情報支援方法をコンピュータに実行させるプログラムに関する。
背景技術
一般に、商品を購入又は役務の提供を受けようとする者は、商品又は役務を掲載したカタログやパンフレットを手に入れ、商品の購入又は役務の提供を検討する場合がある。
このような商品又は役務のカタログやパンフレットは、大量の商品又は役務の情報を掲載するものであり、大きくなり持ち運びに不便なものであることが多い。このような観点から、近年においては、大きな記録容量の大きい記録媒体として光ディスク記録媒体が開発されている。
このような光ディスク記録媒体としては、ＣＤ−ＲＯＭ、ＣＤ−Ｒ、ＣＤ−ＲＷ、ＤＶＤ、ＤＶＤ−ＲＯＭ、ＤＶＤ−ＲＷ及びＤＶＤ−ＲＡＭ等が知られている。
上述したＣＤ−ＲＯＭは、いわゆるコンパクトディスクを読み出し専用のメモリＲＯＭに応用したものであり、このＣＤ−ＲＯＭは１枚のディスクに、百科事典１０冊分の文字情報やグラフィック情報が記録できるくらいの大きな記録容量をもつ内容を、非常に早い時間で検索できることを最大の特長として商品化されている。
また、ＣＤ−Ｒは、「データを記憶できるＣＤ」であり、１度だけデータを記録でき、データの消去はできない。これに対してＣＤ−ＲＷは、「書き換えできるＣＤ」であり、いわゆるフロッピーディスクと同じように何回でもデータを記録したり、消去したりできる。
ＣＤ−ＲとＣＤ−ＲＷとは、ともに通常のＣＤ−ＲＯＭと同じ形状をしており、ＣＤ−Ｒはディスクの記録面に塗られた特殊な色素にレーザー光線を照射して化学変化を起こすことによってデータを記録する。また、ＣＤ−ＲＷは、レーザー光線を照射して記録層の分子配列を変化させてデータを記憶することを可能にしたもの、又は、非晶質（アモルファス）の薄膜にレーザー光を照射することにより反射率を変化させ、１と０からなるデータの記録を可能にしたものである。
また、ＤＶＤ及びＤＶＤ−ＲＯＭは、コンパクトディスク及びＣＤ−ＲＯＭを応用し、データ記録密度を高めた記録媒体であり、片面一層のデータ記録でＣＤ−ＲＯＭと比較して約７．２倍の記録容量を持つ記録媒体であり、大容量を最大の特長として商品化されている。
また、ＤＶＤ−Ｒは、「データを記憶できるＤＶＤ」であり、１度だけデータを記録でき、データの消去はできない。これに対してＤＶＤ−ＲＷ及びＤＶＤ−ＲＡＭは、「書き換えできるＤＶＤ」であり、いわゆるフロッピーディスクと同じように何回でもデータを記録したり、消去したりできる。
上述したように、光ディスク記録媒体は記録容量が大きいため、上述したような商品や役務のカタログやパンフレット等の情報を保存し、商品を購入又は役務の提供を受けようとする人に配布するのに好都合である。そして、このような光ディスク記録媒体に記録された商品や役務のカタログ等を見て商品又は役務を購入しようとする場合に、インターネット等のネットワークを通じて購入の申し込みをすることが可能になっている。
また、上述したような商品又は役務の情報が記録された光ディスク記録媒体は無料で配布されているのが通常であり、商品又は役務の提供者とは無関係な店舗等に配置され、商品又は役務の広告活動が行われることがある。一方、商品又は役務の提供者が商品又は役務の広告を行うために、商品又は役務の情報が記録された光ディスク記録媒体を消費者に配布し、広告活動がおこなわれる。このように、光ディスク記録媒体は、商品又は役務の効率的な広告活動を行うことのできる媒体として用いられている。
一方、上述したように、商品又は役務の情報が記録された光ディスク記録媒体を用いることにより、効率的な広告活動が可能になるとともに、一般には無料で配布されるので、商品又は役務の情報を欲している人には便利なものである。しかし、光ディスク記録媒体を配置している店舗、又はその光ディスク記録媒体を配布した人、すなわち光ディスク記録媒体提供者を特定することが困難であり、光ディスク記録媒体提供者は商品又は役務の販売に貢献したことに対する報酬を得られないのが実状であり、広告活動の効率が低下することも懸念される。
従って、商品又は役務の効率的な広告活動を行うことができる、商品又は役務情報提供支援システム、商品又は役務情報提供支援サーバ、商品又は役務情報提供支援方法、及び商品又は役務情報提供支援方法をコンピュータに実行させるプログラムが望まれていた。
従って、本発明の目的は、商品又は役務の効率的な広告活動を行うことができる、商品又は役務情報提供支援システム、商品又は役務情報提供支援サーバ、商品又は役務情報提供支援方法、及び商品又は役務情報提供支援方法をコンピュータに実行させるプログラムを提供することにある。
発明の概要
前記課題を解決する本出願の第１の発明は、利用者側に設けられた利用者側端末と、サーバとがネットワークを介して接続されてなる商品又は役務情報提供支援システムであって、前記利用者側端末は、光ディスク記録媒体提供者から提供された光ディスク記録媒体を使用可能であり、前記サーバに、識別子を送信する手段と光ディスク記録媒体に格納された商品又は役務に関する情報の請求情報を前記サーバに送信する手段とを有し、前記サーバは、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援システムである。
かかる構成とすることにより、利用者側端末から送信された識別子と光ディスク記録媒体提供者を関連づける光ディスク記録媒体提供者情報をデータベースに格納しており、光ディスク記録媒体提供者に対して報酬が付与される商品又は役務情報提供支援システムとなるので、商品又は役務の効率的な広告活動を行うことができるシステムとなる。
なお、本明細書において、「光ディスク記録媒体」とは、商品又は役務提供者が提供する商品又は役務の情報、例えばカタログやパンフレット等が記録されているものであり、例えば百貨店や電気店等の店舗において無料で配布されているものである。
また、本出願の請求項２に記載の発明は、請求項１に記載の商品又は役務情報提供支援システムであって、前記サーバが、前記利用者側端末から送信された情報を格納し利用者に関するデータベースを構築する手段を有することを特徴とする。
かかる構成とすることにより、サーバが利用者に関するデータベースを構築するので、サーバの管理者がデータベースを利用することができ、サーバ管理者の利便性が向上する。
また、本出願の請求項３に記載の発明は、請求項１又は２に記載の商品又は役務情報提供支援システムにおいて、前記識別子が、前記光ディスク記録媒体本体に付与されているものであることを特徴とする。
識別子が、光ディスク記録媒体本体に付与されるとは、例えば光ディスク記録媒体本体に、識別子が印刷されていたり、識別子が印刷されたシール等が貼付されていることをいう。
かかる構成とすることにより、利用者は光ディスク記録媒体本体に付与された識別子を目視しながら利用者側端末から識別子を入力することが可能となる。
また、本出願の請求項４に記載の発明は、請求項１又は２に記載の商品又は役務情報提供支援システムにおいて、前記識別子が、前記光ディスク記録媒体本体を収納する容器に付与されているものである、請求項１に記載の商品又は役務情報提供支援システム。
上記容器とは、光ディスク記録媒体を収容するための容器であり、プラスチック製のものや紙製の封筒等を含む。また、プラスチック製の容器や紙製の封筒中に光ディスク記録媒体と共に収容されている添付文書も含む概念である。
また、本出願の請求項５に記載の発明は、請求項１〜４のいずれか１項に記載の商品又は役務情報提供支援システムにおいて、前記光ディスク記録媒体が信号記録・消去部を有しており、該信号記録・消去部が前記識別子を格納しており、前記光ディスク記録媒体が前記識別子を前記サーバに送信するプログラムを格納していることを特徴とする。
かかる構成とすることにより、信号記録・消去部が識別子を格納しており、該識別子がサーバに自動的に送信されるので、利用者が手動で識別子を入力する必要がないので、利用者の利便性が向上する。
また、本出願の請求項６に記載の発明は、請求項１〜５のいずれか１項に記載の商品又は役務情報提供支援システムにおいて、前記光ディスク記録媒体に、前記商品又は役務提供者のホームページにアクセスできるデータが記録されていることを特徴とする。
かかる構成とすることにより、利用者がインターネット等のネットワークを通じて商品又は役務提供者の提供する商品又は役務に関する更に詳細な情報を得ることが可能となり、その商品又は役務を購入する際の参考とすることができるようになる。
なお、光ディスク記録媒体が信号記録・消去部を有しており、該信号記録・消去部に上記データが記録されていてもよく、又はデータの読み出し専用の信号記録部に上記データが記録されていてもよい。
また、本出願の請求項７に記載の発明は、請求項１〜６のいずれか１項に記載の商品又は役務情報提供支援システムにおいて、前記識別子が、光ディスク記録媒体提供者毎に付与されることを特徴とする。
かかる構成とすることにより、識別子が光ディスク記録媒体提供者毎に付与されるので、識別子により関連づけられた光ディスク記録媒体提供者への報酬付与がより確実に実行される。
また、本出願の請求項８に記載の発明は、請求項７に記載の商品又は役務情報提供支援システムにおいて、前記識別子が、予め定められたアルゴリズムに従って生成されるものであることを特徴とする。
かかる構成とすることにより、識別子が乱数発生的に生成されるので、識別子を知らない利用者が本発明の商品又は役務情報提供支援システムを不正に使用することを防止することができる。
また、本出願の請求項９に記載の発明は、請求項１〜８のいずれか１項に記載の商品又は役務情報提供支援システムにいおて、前記サーバが、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有することを特徴とする。
かかる構成とすることにより、利用者側端末から送信された識別子とデータベースに格納された識別子とが一致した場合にのみ、利用者側端末から送信された商品又は役務に関する情報の請求情報を商品又は役務提供者に送信するので、識別子を知らない利用者が本発明の商品又は役務情報提供支援システムを不正に使用することを防止することができる。
また、本出願の請求項１０に記載の発明は、利用者側に設けられた利用者側端末とネットワークを介して接続され、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援サーバである。
かかる構成とすることにより、利用者側端末から送信された識別子と光ディスク記録媒体提供者とを関連づける光ディスク記録媒体提供者情報をデータベースに格納しており、光ディスク記録媒体提供者に対して報酬が付与されるので、商品又は役務の効率的な広告活動を行うことができる。
また、本出願の請求項１１に記載の発明は、請求項１０に記載の商品又は役務情報提供支援サーバにおいて、前記サーバが、前記利用者側端末から送信された情報を格納し利用者に関するデータベースを構築する手段を有することを特徴とする。
かかる構成とすることにより、サーバが利用者に関するデータベースを構築するので、サーバの管理者がデータベースを利用することができ、サーバ管理者の利便性が向上する。
また、本出願の請求項１２に記載の発明は、請求項１０又は１１に記載の商品又は役務情報提供支援サーバにおいて、前記識別子が、光ディスク記録媒体提供者毎に付与されることを特徴とする。
かかる構成とすることにより、識別子が光ディスク記録媒体提供者毎に付与されるので、識別子により関連づけられた光ディスク記録媒体提供者への報酬付与がより確実に実行される。
また、本出願の請求項１３に記載の発明は、請求項１２に記載の商品又は役務情報提供支援サーバにおいて、前記識別子が、予め定められたアルゴリズムに従って生成されるものであることを特徴とする。
かかる構成とすることにより、識別子が乱数発生的に生成されるので、識別子を知らない利用者が本発明の商品又は役務情報提供支援システムを不正に使用することを防止することが可能となる。
また、本出願の請求項１４に記載の発明は、請求項１０〜１３のいずれか１項に記載の商品又は役務情報提供支援サーバにおいて、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有することを特徴とする。
かかる構成とすることにより、利用者側端末から送信された識別子とデータベースに格納された識別子とが一致した場合にのみ、利用者側端末から送信された商品又は役務に関する情報の請求情報を商品又は役務提供者に送信するので、識別子を知らない利用者が本発明の商品又は役務情報提供支援システムを不正に使用することを防止することができる。
また、本出願の請求項１５に記載の発明は、ネットワークを介して、利用者側に設けられた利用者側端末と、データベースを有するサーバとの間で行われる商品又は役務情報提供支援方法であって、識別子と光ディスク記録媒体提供者とを関連づける光ディスク記録媒体提供者情報をサーバが有するデータベースに格納するステップと、前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法である。
かかる構成とすることにより、利用者側端末から送信された識別子と光ディスク記録媒体提供者を関連づける光ディスク記録媒体提供者情報をデータベースに格納しており、光ディスク記録媒体提供者に対して報酬が付与されるので、商品又は役務の効率的な広告活動を行うことが可能となる。
また、本出願の請求項１６に記載の発明は、請求項１５に記載の商品又は役務情報提供支援方法において、前記サーバが、前記利用者側端末から送信された情報を格納し利用者に関するデータベースを構築するステップを有することを特徴とする。
かかる構成とすることにより、サーバが利用者に関するデータベースを構築するので、サーバの管理者がデータベースを利用することができ、サーバ管理者の利便性が向上する。
また、本出願の請求項１７に記載の発明は、請求項１５又は１６に記載の商品又は役務情報提供支援方法において、前記識別子が、光ディスク記録媒体提供者毎に付与されることを特徴とする。
かかる構成とすることにより、識別子が光ディスク記録媒体提供者毎に付与されるので、識別子により関連づけられた光ディスク記録媒体提供者への報酬付与がより確実に実行される。
また、本出願の請求項１８に記載の発明は、請求項１７に記載の商品又は役務情報提供支援方法において、前記識別子が、予め定められたアルゴリズムに従って生成されるものであることを特徴とする。
かかる構成とすることにより、識別子が乱数発生的に生成されるので、識別子を知らない利用者が本発明の商品又は役務情報提供支援方法を不正に使用することを防止することができる。
また、本出願の請求項１９に記載の発明は、請求項１５〜１８のいずれか１項に記載の商品又は役務情報提供支援方法において、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信することを特徴とする。
かかる構成とすることにより、利用者側端末から送信された識別子とデータベースに格納された識別子とが一致した場合にのみ、利用者側端末から送信された商品又は役務に関する情報の請求情報を商品又は役務提供者に送信するので、識別子を知らない利用者が本発明の商品又は役務情報提供支援方法を不正に使用することを防止することができる。
また、本出願の請求項２０に記載の発明は、ネットワークを介して、利用者側に設けられた利用者側端末と、データベースを有するサーバとの間で行われる商品又は役務情報提供支援方法であって、識別子と光ディスク記録媒体提供者とを関連づける光ディスク記録媒体提供者情報をサーバが有するデータベースに格納するステップと、前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法をコンピュータに実行させるプログラムである。
かかる構成とすることにより、利用者側端末から送信された識別子と光ディスク記録媒体提供者とを関連づける光ディスク記録媒体提供者情報をデータベースに格納しており、光ディスク記録媒体提供者に対して報酬が付与されるので、商品又は役務の効率的な広告活動を行うことのできる商品又は役務情報提供支援方法をコンピュータに実行させることが可能となる。
また、本出願の請求項２１に記載の発明は、請求項２０に記載の商品又は役務情報提供支援方法をコンピュータに実行させるプログラムにおいて、前記サーバが、前記利用者側端末から送信された情報を格納し利用者に関するデータベースを構築するステップを有することを特徴とする。
かかる構成とすることにより、サーバが利用者に関するデータベースを構築するので、サーバの管理者がデータベースを利用することができ、サーバ管理者の利便性が向上する。
また、本出願の請求項２２に記載の発明は、請求項２０又は２１に記載の商品又は役務情報提供支援方法をコンピュータに実行させるプログラムにおいて、前記識別子が、光ディスク記録媒体提供者毎に付与されることを特徴とする。
かかる構成とすることにより、識別子が光ディスク記録媒体提供者毎に付与されるので、識別子により関連づけられた光ディスク記録媒体提供者への報酬付与がより確実に実行される商品又は役務情報提供支援方法をコンピュータに実行させることができる。
また、本出願の請求項２３に記載の発明は、請求項２２に記載の商品又は役務情報提供支援方法をコンピュータに実行させるプログラムにおいて、前記識別子が、予め定められたアルゴリズムに従って生成されるものであることを特徴とする。
かかる構成とすることにより、識別子が乱数発生的に生成されるので、識別子を知らない利用者が本発明の商品又は役務情報提供支援方法を不正使用することを防止することが可能な方法をコンピュータに実行させることができる。
また、本出願の請求項２４に記載の発明は、請求項２０〜２３のいずれか１項に記載の商品又は役務情報提供支援方法において、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信することを特徴とする。
かかる構成とすることにより、利用者側端末から送信された識別子とデータベースに格納された識別子とが一致した場合にのみ、利用者側端末から送信された商品又は役務に関する情報の請求情報を商品又は役務提供者に送信するので、識別子を知らない利用者が本発明の商品又は役務情報提供方法を不正に使用することのできる方法をコンピュータに実行させることができる。
発明を実施するための最良の形態
以下、先ず本発明の商品又は役務情報提供支援システムについて図面を参照して説明する。
図１は、本発明の商品又は役務情報提供支援システムの構成を示す図である。
図１に示すように、本発明の商品又は役務情報提供支援システムは、利用者側に設けられた利用者側端末１０と、サーバ２０とがネットワーク１００を介して接続されてなり、前記サーバ２０はデータベース２２を有している。
図１において、ネットワーク１００は、例えばインターネット等を用いたネットワーク１００であることが好ましい。
また、上記ネットワーク１００は、前記利用者側端末１０と前記サーバ２０との間で有線、無線を問わず、情報が伝送されるものであればよい。
また、前記利用者側端末１０は、本発明の商品又は役務情報提供支援システムを利用する利用者が利用する情報端末であって、前記ネットワーク１００を介してホームページへのアクセスを可能とするＷＷＷ（Ｗｏｒｌｄ  Ｗｉｄｅ  Ｗｅｂ）ブラウザ等へのアクセス手段を有している。具体的には、利用者側端末１０は、インターネット等のネットワーク１００に接続可能なパーソナルコンピュータ又はモバイルコンピュータ等の端末である。
また、前記サーバ２０は、商品又は役務情報提供支援システム管理者により使用されるコンピュータであって、ワークステーション・サーバ等の情報処理装置によって構成される。また、前記サーバ２０は、前記ネットワーク１００を介してホームページへのアクセスを可能とするＷＷＷ（Ｗｏｒｌｄ  Ｗｉｄｅ  Ｗｅｂ）ブラウザ等へのアクセス手段を有している。
前記利用者側端末１０は、光ディスク記録媒体提供者から提供された光ディスク記録媒体を使用可能な端末である。本明細書において「光ディスク記録媒体」とは、ＣＤ−ＲＯＭ、ＣＤ−Ｒ、ＣＤ−ＲＷ、ＤＶＤ、ＤＶＤ−ＲＯＭ、ＤＶＤ−ＲＷ及びＤＶＤ−ＲＡＭを含むものである。
なお、光ディスク記録媒体提供者とは、その光ディスク記録媒体に格納されている商品又は役務の提供者から依頼を受けて、光ディスク記録媒体を配布している者、又は光ディスクを配布のために店舗等に置いている者等をいう。
また、前記利用者側端末１０は、サーバ２０に、識別子を送信する手段を有している。本明細書において「識別子」とは、光ディスク記録媒体提供者を識別するための暗号等をいい、数字及び／又はアルファベット等を１０桁程度並べて表される。
なお、識別子は、光ディスク記録媒体提供者毎に付与されているものである。このようになされることにより、利用者が、後述するように光ディスク記録媒体に格納された商品又は役務に関する情報の請求情報をサーバ２０に送信した際に、利用者が用いている光ディスク記録媒体を利用者に提供した光ディスク記録媒体提供者を特定することが可能となる。
なお、識別子は光ディスク記録媒体の本体に付与されていてもよく、又は光ディスク記録媒体を収納する容器に付与されているものであってもよい。
光ディスク記録媒体の本体に識別子を付与する方法としては、例えば光ディスク記録媒体本体に識別子を印刷してもよいし、又は識別子が印刷されたシールを貼付してもよい。
また、光ディスク記録媒体本体の容器とは、光ディスク記録媒体を収容するための容器のことをいい、プラスチック製の容器であっても又は光ディスク記録媒体を収容する紙製の封筒であってもよい。また、光ディスク記録媒体本体を容器に収容する際に、識別子が記載された添付書類を光ディスク記録媒体と共に収容してもよい。
上述のように、光ディスク記録媒体本体又は光ディスク記録媒体を収容する容器に識別子が付与されていると、利用者は光ディスク記録媒体本体に付与された識別子を目視しながら利用者側端末から識別子を入力することができる。
光ディスク記録媒体本体、光ディスク記録媒体を収容するための容器に識別子を付与し，た場合の例を図面に示す。
図３は、光ディスク記録媒体本体に識別子を付与した例であり、図４は、光ディスク記録媒体を収容する容器に識別子を付与した例である。図３においては、シールに印刷された識別子３２が光ディスク記録媒体本体３０に貼付されている。また、図４においては、光ディスク記録媒体を収容するプラスチックのケース４０に、シールに印刷された識別子４２が貼付されている。図３に示した光ディスク記録媒体は、円形形状をしているが、本発明の商品又は役務情報提供支援システムにおいて用いられる光ディスク記録媒体は、いわゆる名刺サイズのカード型のものであってもよい。
また、光ディスク記録媒体が信号記録・消去部を有しており、該信号記録・消去部が識別子を格納しており、光ディスク記録媒体本体が識別子をサーバ２０に送信するプログラムを格納しているものであることが好ましい。このように信号記録・消去部に識別子が格納されており、光ディスク記録媒体が識別子をサーバ２０に送信するプログラムを有しているので、上述したように、利用者が手動で識別子を入力する必要がなく、自動的にサーバに識別子が送信され、利用者の利便性が向上する。
また、前記光ディスク記録媒体は、光ディスク記録媒体に格納されている商品又は役務の提供者のホームページにアクセスすることのできるプログラムが記録されていてもよい。このようなプログラムが記録されていることにより、光ディスク記録媒体に格納されている商品又は役務に関する情報よりも更に詳細な商品又は役務に関する情報を入手することが可能となる。これにより、その商品又は役務提供者の提供する商品又は役務を購入する際の参考とすることができる。
また、前記利用者側端末１０は、光ディスク記録媒体に格納された商品又は役務に関する情報の請求情報を前記サーバ２０に送信する手段を有している。
本明細書において「商品又は役務に関する情報の請求」とは、例えば、商品又は役務に関するカタログやパンフレットの請求、商品又は役務に関する詳しい説明を聞きたいとの請求、見積の依頼請求、商品又は役務の購入の申し込み等のことをいう。なお、本発明の商品又は役務情報提供支援システムにおける商品又は役務は、その種類に特に制限はないが、例えば、商品としては、自動車、不動産、書籍、文房具等が挙げられる。役務としては、例えばインターネットプロバイダーへの入会、引っ越し、宅配、生命保険、損害保険等が挙げられる。
前記サーバ２０は、前記利用者側端末１０から送信された識別子、及び前記光ディスク記録媒体に格納された商品又は役務に関する情報の請求情報を受信する手段を有している。
また、前記サーバ２０は、識別子と光ディスク記録媒体提供者とを関連づける光ディスク記録媒体提供者情報を格納するデータベース２２を有している。ここでいう「光ディスク記録媒体提供者情報」とは、識別子と光ディスク記録媒体提供者とを関連づける情報であり、すなわち光ディスク記録媒体提供者を特定するために識別子と提供者とを関連づけている情報である。
識別子と光ディスク記録媒体提供者との関連づけを図５を用いて説明する。図５は、識別子と光ディスク記録媒体提供者とを関連づけるためにデータベースに格納されている、光ディスク記録媒体提供者情報の一例を示す図である。
図５に示すように、識別子「Ａ９８００１００２１」はＡ電器渋谷店の１階と、識別子「Ａ９８００１００２２」はＡ電器渋谷店の２階と、「Ａ９８００１００２３」はＡ電器渋谷店の３階と、識別子「Ａ９８０２１４５１１」はＢ百貨店新宿店と、識別子「Ａ９８０２１４５１２」はＢ百貨店池袋店と関連づけられている。
このようにされているので、例えば利用者が識別子として「Ａ９８００１００２２」をサーバ２０に対して送信した場合は、その光ディスク記録媒体の提供者はＡ電器渋谷店の２階の売場であることがわかる。
なお、図５に示した光ディスク記録媒体提供者情報においては、識別子は連続した番号となっているが、識別子は連続した番号でなく、予め定められたアルゴリズムに従って生成されるものであることが好ましい。予め定められたアルゴリズムに従って識別子を生成することにより、識別子は乱数発生的に生成され、識別子を知らない利用者は本発明の商品又は役務情報提供支援システムを使用することができない。すなわち、不正に入手した光ディスク記録媒体に記載されている識別子に連続する識別子を入力しても本発明の商品又は役務情報提供支援システムを利用することができず、本発明の商品又は役務情報提供支援システムを不正に使用することができない。
また、図５においては、同一の店舗（及び売場の階数）が提供する光ディスク記録媒体に付与された識別子は全て同一のものであるが、１枚毎に異なる識別子を付与するようにしてもよい。このように、光ディスク記録媒体１枚毎に異なる識別子を付与することにより、例えば一度使用された識別子は再び使用することができなくなるようにすることができる。
また、前記サーバ２０は、利用者側端末１０から送信された商品又は役務に関する情報の請求情報を商品又は役務提供者に送信する手段を有している。本発明において、前記サーバ２０が利用者側端末１０から送信された商品又は役務に関する情報の請求情報を商品又は役務提供者に送信する手段としては、例えばネットワーク１００を介して電子メール等により送信してもよいし、又はネットワークを介さずに郵便等により行ってもよい。
また、前記サーバ２０は、前記利用者側端末１０から送信された識別子と光ディスク記録媒体提供者情報として前記データベース２２に格納された識別子とを比較する手段を有している。該比較手段により、前記利用者側端末１０から送信された識別子と光ディスク記録媒体提供者情報として前記データベース２２に格納された識別子とが一致した場合にのみ、利用者側端末１０から送信された商品又は役務に関する情報の請求情報を商品又は役務提供者に送信する手段を有している。
利用者側端末１０から送信された識別子と光ディスク記録媒体提供者情報として前記データベース２２に格納された識別子とが一致するとは、前記データベース２２に登録されていない識別子が送信された場合には商品又は役務に関する情報の請求情報を商品又は役務提供者に送信しないことである。
このような手段を有しているので、識別子を知らない利用者が本発明の商品又は役務情報提供支援システムを不正に使用することが防止できる。
そして、前記サーバ２０は、光ディスク記録媒体提供者に対して報酬を付与する手段を有している。前記サーバ２０は、上述したデータベース２２を有しており、該データベース２２に格納されている光ディスク記録媒体提供者情報により、利用者側端末１０から送信された識別子から、光ディスク記録媒体提供者が明らかになり、その光ディスク記録媒体提供者に、光ディスク記録媒体を提供したことに対して報酬を付与することができる。
このように、光ディスク記録媒体提供者には、光ディスク記録媒体を利用者に提供したことに対する報酬が付与されるので、光ディスク記録媒体提供者の広告活動が活発化し、商品又は役務の効率的な広告活動を行うことが可能となる。
なお、光ディスク記録媒体提供者に対して報酬を付与する手段としては、例えば銀行振込等により行うことができる。報酬は、商品又は役務に関する問い合わせ１件あたりの報酬、あるいは商品又は役務を購入した場合の報酬を決めておき、それに応じて報酬を付与するようになされている。
本発明の商品又は役務情報提供支援システムにおいて対象となる商品又は役務としては、上述したように、例えば、商品としては自動車、不動産、書籍、文房具等が挙げられ、役務としては、例えばインターネットプロバイダーへの入会、引っ越し、宅配等が挙げられるが、これらに制限されるものではない。その他には、例えば自動車の販売における営業促進等に利用できる。例えば、自動車販売の営業活動において、販売員が自動車のカタログを記録した光ディスク記録媒体を百貨店、電気店、その他の店舗に配布してもらい、その光ディスク記録媒体を入手した利用者がインターネット等のネットワークを介して自動車の購入の申し込み、見積の依頼請求、又は自動車についての詳しい話を聞きたい等の情報を送信した場合、その光ディスク記録媒体を提供した店舗等の報酬が付与されるようになされている。
次に、本発明の商品又は役務情報提供支援サーバについて説明する。本発明の商品又は役務情報提供支援サーバは、利用者側に設けられた利用者側端末とネットワークを介して接続され、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする。
本発明の商品又は役務情報提供支援サーバについて図１を参照して説明する。
本発明の商品又は役務情報提供支援サーバ２０は、商品又は役務情報提供支援システム管理者により使用されるコンピュータであって、ワークステーション・サーバ等の情報処理装置によって構成される。また、本発明の商品又は役務情報提供支援サーバは、利用者側に設けられた利用者側端末１０とネットワーク１００を介して接続されている。
ネットワーク１００としては、例えばインターネット等を用いたネットワーク１００であることが好ましく、ネットワーク１００は、前記利用者側端末１０と前記サーバ２０との間で有線、無線を問わず、情報が伝送されるものであればよい。
また、本発明の商品又は役務情報提供支援サーバは、インターネット等のネットワークを介してホームページへのアクセスを可能とするＷＷＷ（Ｗｏｒｌｄ  Ｗｉｄｅ  Ｗｅｂ）ブラウザ等へのアクセス手段を有している。
また、本発明の商品又は役務情報提供支援サーバは、利用者側端末１０から送信された識別子、及び利用者側端末１０で使用される光ディスク記録媒体に格納された商品又は役務に関する情報の請求情報を受信する手段を有している。
また、商品又は役務情報提供支援サーバ２０は、識別子と光ディスク記録媒体提供者とを関連づける光ディスク記録媒体提供者情報を格納するデータベース２２を有している。ここでいる「光ディスク記録媒体提供者情報」とは、識別子と光ディスク記録媒体提供者とを関連づける情報であり、すなわち光ディスク記録媒体提供者を特定するために識別子と光ディスク提供者とを関連づけている情報である。
識別子と光ディスク記録媒体提供者との関連づけについては図５に示す。図５については、前述した本発明の商品又は役務情報提供支援システムにおいて説明した通りである。
また、前記サーバ２０は、利用者側端末１０から送信された商品又は役務に関する情報の請求情報を商品又は役務提供者に送信する手段を有している。かかる手段は、例えばネットワーク１００を介して電子メール等により送信してもよいし、又はネットワークを介さずに郵便等により行ってもよい。
そして、前記サーバ２０は、光ディスク記録媒体提供者に対して報酬を付与する手段を有している。前記サーバ２０は、上述したデータベース２２を有しており、外データベース２２に格納されている光ディスク記録媒体提供者情報により、利用者側端末１０から送信された識別子から、光ディスク記録媒体提供者が明らかになり、その光ディスク記録媒体提供者に、光ディスク記録媒体を提供したことに対して報酬を付与することができる。
このように、光ディスク記録媒体提供者には、光ディスク記録媒体を利用者に提供したことに対する報酬が付与されるので、光ディスク記録媒体提供者の広告活動が活発化し、商品又は役務の効率的な広告活動を行うことが可能となる。
次に、本発明の商品又は役務情報提供支援方法について説明する。
本発明の商品又は役務情報提供支援方法は、ネットワークを介して、利用者側に設けられた利用者側端末と、データベースを有するサーバとの間で行われる商品又は役務情報提供支援方法であって、識別子と光ディスク記録媒体提供者とを関連づける光ディスク記録媒体提供者情報をサーバが有するデータベースに格納するステップと、前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする。
本発明の商品又は役務情報提供支援方法は、前述した本発明の商品又は役務情報提供支援システムを用いて実施することができる。
本発明の商品又は役務情報提供支援方法について図１及び図２を参照して説明する。図２は、本発明の商品又は役務情報提供支援方法の動作を示す図である。
以下、図２を参照しながら、本発明の商品又は役務情報提供支援方法について説明する。本発明の商品又は役務情報提供支援方法は、ネットワークを１００を介して、利用者側に設けられた利用者側端末１０と、データベース２２を有するサーバ２０との間で行われる。
先ず、本発明の商品又は役務情報提供支援方法においては、識別子と光ディスク記録媒体提供者とを関連づける光ディスク記録媒体提供者情報をサーバ２０が有するデータベース２２に格納する。
識別子と光ディスク記録媒体提供者とを関連づける光ディスク記録媒体提供者情報ｎ一例を図５に示す。図５に示すように、識別子「Ａ９８００１００２１」はＡ電器渋谷店の１階と、識別子「Ａ９８００１００２２」はＡ電器渋谷店の２階と、「Ａ９８００１００２３」はＡ電器渋谷店の３階と、識別子「Ａ９８０２１４５１１」はＢ百貨店新宿店と、識別子「Ａ９８０２１４５１２」はＢ百貨店池袋店と関連づけられている。
このように、識別子は光ディスク記録媒体提供者毎に付与されている。このように、識別子が光ディスク記録媒体提供者毎に提供されているので、光ディスク記録媒体を提供した光ディスク記録媒体提供者を特定することができるので、光ディスク記録媒体提供者への報酬の付与がより確実に実行されることとなる。
なお、図５に示した光ディスク記録媒体提供者情報においては、識別子は連続した番号となっているが、識別子は連続した番号でなく、予め定められたアルゴリズムに従って生成されるものであることが好ましい。予め定められたアルゴリズムに従って識別子を生成することにより、識別子は乱数発生的に生成され、識別子を知らない利用者は本発明の商品又は役務情報提供支援システムを使用することができない。すなわち、不正に入手した光ディスク記録媒体に記載されている識別子に連続する識別子を入力しても本発明の商品又は役務情報提供支援システムを利用することができず、本発明の商品又は役務情報提供支援システムを不正に使用することができない。
次いで、利用者は自己の利用する利用者側端末１０に光ディスク記録媒体を挿入し（図２に示すステップＡ１）、サーバ２０にアクセスする（ステップＡ２）。この場合、光ディスク記録媒体は商品又は役務提供者のホームページ又はサーバ２０にアクセスできるデータが記録されてなるものであることが好ましい。このようなデータが記録されていることにより、利用者はインターネット等のネットワーク１００を通じて商品又は役務提供者の提供する商品又は役務に関する更に詳細な情報を得ることが可能となり、その商品又は役務を購入する際の参考とすることができる。
なお、上記光ディスクは、光ディスク記録媒体提供者（例えば、その光ディスク記録媒体を無料で配布している店舗等）により利用者に対して配布されたものであり、商品又は役務提供者の提供する商品又は役務に関する情報、例えばカタログやパンフレット等が記録されているものである。
次いで、サーバ２０は、利用者側端末１０に対して識別子の送信を要求する（ステップＢ１）。これに対し、利用者側端末１０は識別子及び商品又は役務情報送信要求をサーバ２０に送信する（ステップＡ３及びＡ４）。
ここで、識別子とは光ディスク毎に付与されている、光ディスク記録媒体提供者を特定するための暗号等のことであり、数字及び／又はアルファベット等を１０桁〜２０桁程度並べたものである。
また、光ディスク記録媒体が信号記録・消去部を有しており、該信号記録・消去部が識別子を格納しており、光ディスク記録媒体本体が識別子をサーバ２０に送信するプログラムを格納しているものであることが好ましい。このように信号記録・消去部に識別子が格納されており、光ディスク記録媒体が識別子をサーバ２０に送信するプログラムを有しているので、上述したように、利用者が手動で識別子を入力する必要がなく、自動的にサーバに識別子が送信され、利用者の利便性が向上する。
また、「商品又は役務情報送信要求」とは、例えば商品又は役務に関するカタログやパンフレットの請求、商品又は役務に関する詳しい説明を聞きたいとの請求、商品又は役務の購入の申し込み等のことである。
図２に示す本発明の商品又は役務情報提供支援方法においては、サーバ２０から識別子の送信要求がなされた（ステップＢ１）後に、利用者側端末１０からサーバ２０に対して識別子及び商品又は役務情報送信要求を送信している（ステップＡ３及びＡ４）が、本発明においては、サーバ２０から識別子の送信要求がなされる前に、識別子及び商品又は役務情報送信要求を送信してもよい。
また、ステップＡ３において利用者側端末１０から識別子が送信されるので、利用者が利用者側端末１０に挿入した光ディスク記録媒体の提供者が特定される。
次いで、サーバ２０は、利用者側端末１０から送信された商品又は役務に関する情報の請求情報を商品又は役務提供者に送信する（ステップＢ２）。図２においては、上記請求情報はインターネット等のネットワークを通じて電子メールにより送信される。
商品又は役務に関する情報の請求情報を受信した商品又は役務提供者は、商品又は役務情報を利用者に送信する（ステップＣ１）。商品又は役務情報を利用者に送信する手段としては、インターネット等のネットワークを通じて電子メールにより送信する手段、郵便等により配達する手段等がある。また、商品又は役務提供者から利用者に、商品又は役務情報が掲載されたホームページのＵＲＬアドレスを記載した電子メールを送信し、ＵＲＬアドレスが記載された電子メールを受信した利用者が、記載されているＵＲＬアドレスにアクセスすることによって商品又は役務情報を見ることができるようにしてもよい。この場合、電子メールを受信した者だけがそのＵＲＬアドレスにアクセスすることができるように、ＩＤ及びパスワードを同時に送信し、該ＩＤ及びパスワードを入力することにより、そのホームページにアクセスすることができるようにしてもよい。また、商品又は役務に関する情報の請求情報が、その商品又は役務についての詳しい話を聞きたいとの内容である場合は、ステップＣ１において、商品又は役務提供者から利用者に直接電話等の連絡が入るようになされている。
また、サーバ２０は、光ディスク記録媒体提供者に対して報酬を付与する（ステップＢ３）。光ディスク記録媒体提供者に対して報酬を付与する手段としては、例えば銀行振込等により行うことができる。報酬は、商品又は役務に関する問い合わせ１件あたりの報酬、あるいは商品又は役務を購入した場合の報酬を決め手おき、それに応じて報酬を付与するようになされている。
上述したステップＡ３において、利用者側に設けられた利用者側端末１０からサーバ２０に対して識別子が送信されているので、利用者が使用した光ディスク記録媒体の提供者が明らかとなり、その光ディスク記録媒体提供者に報酬が付与される。例えば、図５を用いて説明すると、識別子が「Ａ９８０２１４５１１」であったとすると、その光ディスク記録媒体はＢ百貨店の新宿店により提供されたものであることがわかり、従って、報酬はＢ百貨店の新宿店に付与される。
本発明の商品又は役務情報提供支援方法において対称となる商品又は役務としては、上述したように、例えば、商品としては自動車、不動産、書籍、文房具等が挙げられ、役務としては、例えばインターネットプロバイダーへの入会、引っ越し、宅配等が挙げられるが、これらに制限されるものではない。その他には、例えば自動車の販売における営業促進等に利用できる。例えば、自動車販売の営業活動において、販売員が自動車のカタログを記録した光ディスク記録媒体を百貨店、電気店、その他の店舗に配布してもらい、その光ディスク記録媒体を入手した利用者がインターネット等のネットワークを介して自動車の購入の申し込み、見積の依頼請求、又は自動車についての詳しい話を聞きたい等の情報を送信した場合、その光ディスク記録媒体を提供した店舗等の報酬が付与されるようになされている。
次に、本発明の商品又は役務情報提供支援方法をコンピュータに実行させるプログラムについて説明する。
本発明の商品又は役務情報提供支援方法をコンピュータに実行させるプログラムは、コンピュータの動作を制御し、以上に説明した本発明の商品又は役務情報提供支援方法をコンピュータに実行させるためのプログラムであり、プログラム制御されたコンピュータがプログラムにより指令され、以上に説明した本発明の商品又は役務情報提供支援方法を実施するためのプログラムである。
次に、本発明の商品又は役務情報提供支援システムを、自動車の販売に用いた例について説明する。自動車会社が営業担当社員Ａ、Ｂ及びＣに、自社の自動車のカタログを記録した光ディスク記録媒体を配布させる。社員Ａ、Ｂ及びＣは、百貨店等の店舗の光ディスク記録媒体を配布してもよく、又は自動車購入希望者に直接手渡してもよい。
サーバ２０には、識別子と光ディスク記録媒体提供者である社員とを関連づける光ディスク記録媒体提供者情報が格納されている。図６には、識別子と光ディスク記録媒体提供者である社員を関連づけるデータの一例を示す。図６に示すデータにおいては、識別子をランダムに生成している。
社員Ａ、社員Ｂ及び社員Ｃは、それぞれ自動車の販売を促進するべく、自社の自動車のカタログが記録された光ディスク記録媒体を配布する。そして、社員Ａ、Ｂ及びＣが配布した光ディスク記録媒体を入手した者が、自己が使用する利用者側端末１０に光ディスクを挿入し、サーバ２０にアクセスする。
次いで、サーバ２０から利用者側端末１０に対して識別子の送信要求がなされる。その際に利用者側端末１０の画面に表示される画面の一例を図７に示す。
次いで、利用者は、利用者側端末１０を操作し、図７に示される画面に、識別子、氏名、住所、電話番号及び希望の車種を入力し、どのような情報を要求するのかをマウスでクリックする。詳しい話しを聞きたい場合には、図７に示される画面の該当する部位をマウスでクリックする。次いで、送信ボタンをクリックすることにより、識別子、及び商品又は役務に関する情報の請求情報がサーバ２０に送信される。
図７においては、希望車種について利用者が自分で入力されるようになっているが、販売している車種の一覧表を記載し、その中から選択するようにしてもよい。
次いで、サーバ２０から自動車会社に対して商品又は役務情報の請求情報を送信し、該情報を受信した自動車会社は利用者に、電話連絡等を行い、商談を進める。
なお、上述したように、サーバ２０には識別子が送信されており、利用者が利用した光ディスク記録媒体の提供者がわかるようになっている。例えば、識別子が「Ｊ３ＶＷ５５０２Ｈ６」であった場合、その光ディスク記録媒体の提供者は社員Ｂであり、社員Ｂの営業成績に、報酬が付与される。この場合、社員Ｂが百貨店等の店舗に光ディスク記録媒体を置いて配布した場合には、この報酬は百貨店等にも付与されるようになされている。
このように、自動車会社の社員が百貨店等に光ディスク記録媒体を置いて配布するような場合には、光ディスク記録媒体に２個の識別子を付与するようにすることが好ましい。このようにすることにより、光ディスク記録媒体提供者の特定が更に容易になる。例えば、識別子の１個は社員Ｂを特定し、他の識別子が百貨店を特定するようにされ、社員と百貨店の両方に報酬が付与されるようになる。
上述したように、本発明の商品又は役務情報提供支援システムを用いることにより、商品又は役務提供者である社員の営業活動を効率化することができるとともに、商品又は役務情報を記録した光ディスク記録媒体を配布した店舗等にも報酬が付与されるので、更に広告活動が効率的なものとなる。
従来、自動車の販売はディーラーを通して行われており、自動車を購入したい人は通常はディーラーに行き、実際に自動車を見たり試乗を行い、ディーラーの販売店と商談を行い自動車を購入している。インターネット等のネットワークを通じて直接自動車を販売するようなシステムも考えられるが、このようなシステムによると、従来のディーラーへの報酬付与が容易でなくなるという問題が生じる。しかし、本発明のシステムを用いることにより、自動車の効率的な広告活動ができるとともに、ディーラーに対しても報酬が付与され、上述した問題は解消される。
同様な問題は、生命保険、損害保険についても存在している。すなわち、生命保険、損害保険等は通常は代理店を通して行われており、インターネット等のネットワークを通して、直接保険契約を行うシステムも考えられる。しかし、このようなシステムを採用すると、代理店への報酬付与が容易でなくなるが、本発明のシステムにより、このような問題が解消する。
産業上の利用可能性
以上説明したように、本発明の商品又は役務情報提供支援システムによれば、商品又は役務の情報が記録された光ディスク記録媒体の提供者に報酬が付与されるので、商品又は役務の効率的な広告活動を行うことができる。
また、本発明の商品又は役務情報提供支援サーバによれば、商品又は役務の情報が記録された光ディスク記録媒体の提供者に報酬が付与されるので、商品又は役務の効率的な広告活動が可能な商品又は役務情報提供支援方法を実施することができる。
また、本発明の商品又は役務情報提供支援方法は、商品又は役務の効率的な広告活動が可能となる。
また、本発明の商品又は役務情報提供支援支援方法をコンピュータに実行させるプログラムによれば、上述した商品又は役務情報提供支援方法を実行することができる。
【図面の簡単な説明】
図１は本発明の商品又は役務情報提供支援システムの構成を示す図である。
図２は本発明の商品又は役務情報提供支援方法の動作を示す図である。
図３は光ディスク記録媒体本体に識別子を付与した図である。
図４は光ディスク記録媒体を収容する容器に識別子を付与した例を示す図である。
図５は識別子と光ディスク記録媒体提供者とを関連づけるためにデータベースに格納されている、光ディスク記録媒体提供者情報の一例を示す図である。
図６は識別子と光ディスク記録媒体提供者である社員を関連づけるデータの一例を示す図である。
図７は利用者側端末に表示される画面の一例を示す図である。
符号の説明
１０  利用者側端末
２０  サーバ
２２  データベース
３０  光ディスク記録媒体
３２  識別子
４０  光ディスク記録媒体
４２  識別子
１００  ネットワーク
【図１】
2002089032.tif 000003
【図２】
2002089032.tif 000004
【図３】
2002089032.tif 000005
【図４】
2002089032.tif 000006
【図５】
2002089032.tif 000007
【図６】
2002089032.tif 000008
【図７】
2002089032.tif 000009
【手続補正書】
【提出日】平成15年5月29日(2003.5.29)
【手続補正１】
【補正対象書類名】明細書
【補正対象項目名】特許請求の範囲
【補正方法】変更
【補正の内容】
【特許請求の範囲】
【請求項１】
利用者側に設けられた利用者側端末と、サーバとがネットワークを介して接続されてなる商品又は役務情報提供支援システムであって、
前記利用者側端末は、光ディスク記録媒体提供者から提供された光ディスク記録媒体を使用可能であり、前記サーバに、識別子を送信する手段と光ディスク記録媒体に格納された商品又は役務に関する情報の請求情報を前記サーバに送信する手段とを有し、
前記サーバは、前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援システム。
【請求項２】
前記サーバが、前記利用者側端末から送信された情報を格納し利用者に関するデータベースを構築する手段を有する、請求項１に記載の商品又は役務情報提供支援システム。
【請求項３】
前記識別子が、前記光ディスク記録媒体本体に付与されているものである、請求項１又は２に記載の商品又は役務情報提供支援システム。
【請求項４】
前記識別子が、前記光ディスク記録媒体本体を収納する容器に付与されているものである、請求項１又は２に記載の商品又は役務情報提供支援システム。
【請求項５】
前記光ディスク記録媒体が信号記録・消去部を有しており、該信号記録・消去部が前記識別子を格納しており、前記光ディスク記録媒体が前記識別子を前記サーバに送信するプログラムを格納している、請求項１〜４のいずれか１項に記載の商品又は役務情報提供支援システム。
【請求項６】
前記光ディスク記録媒体に、前記商品又は役務提供者のホームページにアクセスできるデータが記録されている、請求項１〜５のいずれか１項に記載の商品又は役務情報提供支援システム。
【請求項７】
前記識別子が、光ディスク記録媒体提供者毎に付与される、請求項１〜６のいずれか１項に記載の商品又は役務情報提供支援システム。
【請求項８】
前記識別子が、予め定められたアルゴリズムに従って生成されるものである、請求項７に記載の商品又は役務情報提供支援システム。
【請求項９】
前記サーバが、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有する、請求項１〜８のいずれか１項に記載の商品又は役務情報提供支援システム。
【請求項１０】
利用者側に設けられた利用者側端末とネットワークを介して接続され、
前記利用者側端末から送信された識別子、及び前記光ディスク記録媒体に格納された商品又は役務に関する情報の請求情報を受信する手段と、前記識別子と前記光ディスク記録媒体提供者とを関連づける光ディスク記録媒体提供者情報を格納するデータベースと、利用者側端末から送信された商品又は役務に関する情報の請求情報を商品又は役務提供者に送信する手段と、光ディスク記録媒体提供者に対して報酬を付与する手段とを有することを特徴とする商品又は役務情報提供支援サーバ。
【請求項１１】
前記サーバが、前記利用者側端末から送信された情報を格納し利用者に関するデータベースを構築する手段を有する、請求項１０に記載の商品又は役務情報提供支援サーバ。
【請求項１２】
前記識別子が、光ディスク記録媒体提供者毎に付与される、請求項１０又は１１に記載の商品又は役務情報提供支援サーバ。
【請求項１３】
前記識別子が、予め定められたアルゴリズムに従って生成されるものである、請求項１２に記載の商品又は役務情報提供支援サーバ。
【請求項１４】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する手段を有する、請求項１０〜１３のいずれか１項に記載の商品又は役務情報提供支援サーバ。
【請求項１５】
ネットワークを介して、利用者側に設けられた利用者側端末と、データベースを有するサーバとの間で行われる商品又は役務情報提供支援方法であって、
識別子と光ディスク記録媒体提供者とを関連づける光ディスク記録媒体提供者情報をサーバが有するデータベースに格納するステップと、
前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法。
【請求項１６】
前記サーバが、前記利用者側端末から送信された情報を格納し利用者に関するデータベースを構築するステップを有する、請求項１５に記載の商品又は役務情報提供支援方法。
【請求項１７】
前記識別子が、光ディスク記録媒体提供者毎に付与される、請求項１５又は１６に記載の商品又は役務情報提供支援方法。
【請求項１８】
前記識別子が、予め定められたアルゴリズムに従って生成されるものである、請求項１７に記載の商品又は役務情報提供支援方法。
【請求項１９】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する、請求項１５〜１８のいずれか１項に記載の商品又は役務情報提供支援方法。
【請求項２０】
ネットワークを介して、利用者側に設けられた利用者側端末と、データベースを有するサーバとの間で行われる商品又は役務情報提供支援方法であって、
識別子と光ディスク記録媒体提供者とを関連づける光ディスク記録媒体提供者情報をサーバが有するデータベースに格納するステップと、
前記サーバが、利用者側に設けられた利用者側端末から送信された識別子及び光ディスク記録媒体に格納された商品又は役務に関する情報の請求情報を受信することを契機として、利用者側端末から送信された商品又は役務に関する情報の請求情報を商品又は役務提供者に送信するステップと、光ディスク記録媒体提供者に対して報酬を付与するステップとを有することを特徴とする商品又は役務情報提供支援方法をコンピュータに実行させるプログラム。
【請求項２１】
前記サーバが、前記利用者側端末から送信された情報を格納し利用者に関するデータベースを構築するステップを有する、請求項２０に記載の商品又は役務情報提供支援方法をコンピュータに実行させるプログラム。
【請求項２２】
前記識別子が、光ディスク記録媒体提供者毎に付与される、請求項２０又は２１に記載の商品又は役務情報提供支援方法をコンピュータに実行させるプログラム。
【請求項２３】
前記識別子が、予め定められたアルゴリズムに従って生成されるものである、請求項２１に記載の商品又は役務情報提供支援方法をコンピュータに実行させるプログラム。
【請求項２４】
前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信する、請求項２０〜２３のいずれか１項に記載の商品又は役務情報提供支援方法をコンピュータに実行させるプログラム。
【請求項２５】
前記光ディスク記録媒体が名刺サイズのカード型である請求項１から９のいずれか記載の商品又は役務情報提供システム。
【請求項２６】
前記識別子が前記光ディスク記録媒体ごとに異なる請求項１から９及び２５のいずれか記載の商品又は役務情報提供システム。
【請求項２７】
前記光ディスク記録媒体が名刺サイズのカード型である請求項１０から１４のいずれか記載の商品又は役務情報提供支援サーバ。
【請求項２８】
前記識別子が前記光ディスク記録媒体ごとに異なる請求項１０から１４及び２７のいずれか記載の商品又は役務情報提供支援サーバ。
【請求項２９】
前記光ディスク記録媒体が名刺サイズのカード型である請求項１５から１９のいずれか記載の商品又は役務情報提供支援方法。
【請求項３０】
前記識別子が前記光ディスク記録媒体ごとに異なる請求項１５から１９及び２９のいずれか記載の商品又は役務情報提供支援方法。
【請求項３１】
前記光ディスク記録媒体が名刺サイズのカード型である請求項２０から２４のいずれか記載の商品又は役務情報提供支援方法をコンピュータに実行させるプログラム。
【請求項３２】
前記識別子が前記光ディスク記録媒体ごとに異なる請求項２０から２４及び３１のいずれか記載の商品又は役務情報提供支援方法をコンピュータに実行させるプログラム。
【請求項３３】
前記光ディスク記録媒体が有する記録・消去部は追記型記録部である請求項５から９、２５及び２６のいずれか記載の商品又は役務情報提供支援システム。
【請求項３４】
前記光ディスク記録媒体が追記型記録部を有し、当該追記型記録部は前記識別子を格納し、前記光ディスク記録媒体は当該識別子を前記利用者側端末から送信するためのプログラムとを格納する請求項１０から１４、２７及び２８のいずれか記載の商品又は役務情報提供支援サーバ。
【請求項３５】
前記光ディスク記録媒体は前記識別子を格納する追記型記録部を有し、前記光ディスク記録媒体に格納されるプログラムを用いて当該識別子を前記利用者側端末から前記サーバへと送信する請求項１５から１９、２９及び３０のいずれか記載の商品又は役務情報提供支援方法。
【請求項３６】
前記光ディスク記録媒体は前記識別子を格納する追記型記録部を有し、前記光ディスク記録媒体に格納されるプログラムを用いて当該識別子を前記利用者側端末から前記サーバへと送信する請求項２０から２４、３１及び３２のいずれか記載の商品又は役務情報提供支援方法をコンピュータに実行させるプログラム。
【手続補正２】
【補正対象書類名】明細書
【補正対象項目名】０００９
【補正方法】変更
【補正の内容】
【０００９】
支援方法をコンピュータに実行させるプログラムにおいて、前記サーバが、前記利用者側端末から送信された情報を格納し利用者に関するデータベースを構築するステップを有することを特徴とする。
かかる構成とすることにより、サーバが利用者に関するデータベースを構築するので、サーバの管理者がデータベースを利用することができ、サーバ管理者の利便性が向上する。
また、本出願の請求項２２に記載の発明は、請求項２０又は２１に記載の商品又は役務情報提供支援方法をコンピュータに実行させるプログラムにおいて、前記識別子が、光ディスク記録媒体提供者毎に付与されることを特徴とする。
かかる構成とすることにより、識別子が光ディスク記録媒体提供者毎に付与されるので、識別子により関連づけられた光ディスク記録媒体提供者への報酬付与がより確実に実行される商品又は役務情報提供支援方法をコンピュータに実行させることができる。
また、本出願の請求項２３に記載の発明は、請求項２２に記載の商品又は役務情報提供支援方法をコンピュータに実行させるプログラムにおいて、前記識別子が、予め定められたアルゴリズムに従って生成されるものであることを特徴とする。
かかる構成とすることにより、識別子が乱数発生的に生成されるので、識別子を知らない利用者が本発明の商品又は役務情報提供支援方法を不正使用することを防止することが可能な方法をコンピュータに実行させることができる。
また、本出願の請求項２４に記載の発明は、請求項２０〜２３のいずれか１項に記載の商品又は役務情報提供支援方法において、前記利用者側端末から送信された識別子と光ディスク記録媒体提供者情報として前記データベースに格納された識別子とを比較する手段を有し、前記利用者側端末から送信された識別子と光ディスク記録媒体提供者情報として前記データベースに格納された識別子とが一致した場合にのみ、利用者側端末から送信された商品又は役務に関する情報の請求情報を商品又は役務提供者に送信することを特徴とする。
かかる構成とすることにより、利用者側端末から送信された識別子とデータベースに格納された識別子とが一致した場合にのみ、利用者側端末から送信された商品又は役務に関する情報の請求情報を商品又は役務提供者に送信するので、識別子を知らない利用者が本発明の商品又は役務情報提供方法を不正に使用することのできる方法をコンピュータに実行させることができる。
また、本出願の請求項２５に記載の発明は、請求項１から９のいずれか記載の商品又は役務情報提供支援システムであって、前記光ディスク記録媒体が名刺サイズのカード型である。
係る構成とすることにより、名刺サイズのカード型光ディスク記録媒体が有する携帯性や保管容易性を、配布を受けた者は享受することとなる。
また、本出願の請求項２６に記載の発明は、請求項１から９及び２５のいずれか記載の商品又は役務情報提供支援システムであって、前記識別子が前記光ディスク記録媒体ごとに異なる。
係る構成を有することにより、例えば一度使用された識別子は再び使用することができなくなるようにすることができるなど、情報提供にあたって付加的なサービスを提供することが可能となり、結果として本発明に係る情報提供行為についての付加価値が高まる。
また、本出願の請求項２７に記載の発明は、請求項１０から１４のいずれか記載の商品又は役務情報提供支援サーバであって、前記光ディスク記録媒体が名刺サイズのカード型である。
係る構成とすることにより、名刺サイズのカード型光ディスク記録媒体が有する携帯性や保管容易性を、配布を受けた者は享受することとなる。
また、本出願の請求項２８に記載の発明は、請求項１０から１４及び２７のいずれか記載の商品又は役務情報提供支援サーバであって、前記識別子が前記光ディスク記録媒体ごとに異なる。
係る構成を有することにより、例えば一度使用された識別子は再び使用することができなくなるようにすることができるなど、情報提供にあたって付加的なサービスを提供することが可能となり、結果として本発明に係る情報提供行為についての付加価値が高まる。
また、本出願の請求項２９に記載の発明は、請求項１５から１９のいずれか記載の商品又は役務情報提供支援サーバであって、前記光ディスク記録媒体が名刺サイズのカード型である。
係る構成とすることにより、名刺サイズのカード型光ディスク記録媒体が有する携帯性や保管容易性を、配布を受けた者は享受することとなる。
また、本出願の請求項３０に記載の発明は、請求項１５から１９及び２９のいずれか記載の商品又は役務情報提供支援サーバであって、前記識別子が前記光ディスク記録媒体ごとに異なる。
係る構成を有することにより、例えば一度使用された識別子は再び使用することができなくなるようにすることができるなど、情報提供にあたって付加的なサービスを提供することが可能となり、結果として本発明に係る情報提供行為についての付加価値が高まる。
また、本出願の請求項３１に記載の発明は、請求項２０から２４のいずれか記載の商品又は役務情報提供支援方法をコンピュータに実行させるプログラムであって、前記光ディスク記録媒体が名刺サイズのカード型である。
係る構成とすることにより、名刺サイズのカード型光ディスク記録媒体が有する携帯性や保管容易性を、配布を受けた者は享受することとなる。
また、本出願の請求項３２に記載の発明は、請求項２０から２４及び３１のいずれか記載の商品又は役務情報提供支援方法をコンピュータに実行させるプログラムであって、前記識別子が前記光ディスク記録媒体ごとに異なる。
係る構成を有することにより、例えば一度使用された識別子は再び使用することができなくなるようにすることができるなど、情報提供にあたって付加的なサービスを提供することが可能となり、結果として本発明に係る情報提供行為についての付加価値が高まる。
また、本出願の請求項３３に記載の発明は、請求項５から９、２５及び２６のいずれか記載の商品又は役務情報提供支援システムであって、光ディスク記録媒体が有する記録・消去部は追記型記録部である。
係る構成を有することにより、追記型記録部に記録された識別子は消去されたり、書き換えられたりすることはない。このため、一枚の光ディスク記録媒体に複数の識別子を格納させるなどの不正行為が行われにくい。従って、サーバに識別子が送信されたという事実に基づいて対応する光ディスク記録媒体を特定し、これを配布した業者に配布報酬を支払うという行為に対する信頼性が向上する。
また、本出願の請求項３４に記載の発明は、請求項１０から１４、２７及び２８のいずれか記載の商品又は役務情報提供支援サーバであって、光ディスク記録媒体が追記型記録部を有し、その追記型記録部は識別子を格納し、光ディスク記録媒体はその識別子を利用者側端末から送信するためのプログラムとを格納する。
係る構成を有することにより、追記型記録部に記録された識別子は消去されたり、書き換えられたりすることはない。このため、一枚の光ディスク記録媒体に複数の識別子を格納させるなどの不正行為が行われにくい。従って、サーバに識別子が送信されたという事実に基づいて対応する光ディスク記録媒体を特定し、これを配布した業者に配布報酬を支払うという行為に対する信頼性が向上する。
また、本出願の請求項３５に記載の発明は、請求項１５から１９、２９及び３０のいずれか記載の商品又は役務情報提供支援方法であって、光ディスク記録媒体は識別子を格納する追記型記録部を有し、光ディスク記録媒体に格納されるプログラムを用いてその識別子を利用者側端末からサーバへと送信する。
係る構成を有することにより、追記型記録部に記録された識別子は消去されたり、書き換えられたりすることはない。このため、一枚の光ディスク記録媒体に複数の識別子を格納させるなどの不正行為が行われにくい。従って、サーバに識別子が送信されたという事実に基づいて対応する光ディスク記録媒体を特定し、これを配布した業者に配布報酬を支払うという行為に対する信頼性が向上する。
また、本出願の請求項３６に記載の発明は、請求項２０から２４、３１及び３２のいずれか記載の商品又は役務情報提供支援方法をコンピュータに実行させるプログラムであって、光ディスク記録媒体は識別子を格納する追記型記録部を有し、光ディスク記録媒体に格納されるプログラムを用いてその識別子を利用者側端末からサーバへと送信する。
係る構成を有するプログラムによれば、追記型記録部に記録された識別子は消去されたり、書き換えられたりすることはない。このため、一枚の光ディスク記録媒体に複数の識別子を格納させるなどの不正行為が行われにくい。従って、サーバに識別子が送信されたという事実に基づいて対応する光ディスク記録媒体を特定し、これを配布した業者に配布報酬を支払うという行為に対する信頼性が向上する。




【国際調査報告】
2002089032.tif 000010
2002089032.tif 000011